(57)【要約】【課題】  オフライン時でもオンライン時と同様の操作性でＷｅｂページを閲覧でき、最新データの読み取り操作が容易なＷｅｂページ閲覧装置を提供する。【解決手段】  オンラインで閲覧したＷｅｂページ画像情報を記憶するための画像情報記憶部(17)と、閲覧者が閲覧したいＷｅｂページ画像の頁を選択する表示頁選択部(13)と、前記選択された頁に対応する画像情報が該画像情報記憶部(17)に記憶されているときには、画像情報記憶部(17)の画像情報を表示させる比較部(12)とを備える。画像情報記憶部(17)には、Ｗｅｂページの各頁の画像情報と共に同頁の画像情報のＷｅｂページでの更新日データを記憶し、比較部(12)は、オンラインでＷｅｂページの閲覧時に、Ｗｅｂサーバー(2)の前記選択頁に対応する画像情報の方が最新のときには、Ｗｅｂサーバー(2)から該頁に対応する最新画像情報を読み込み、画像情報記憶部(17)の該頁の画像情報を前記最新画像情報に更新する。【選択図】        図２
2005062991.tif 000002
【特許請求の範囲】
【請求項１】
Ｗｅｂページ閲覧装置において、
オンラインで閲覧したＷｅｂページの画像情報を記憶するための画像情報記憶部(17)と、
閲覧者が閲覧したいＷｅｂページ画像の頁を選択する表示頁選択部(13)と、
前記表示頁選択部(13)で選択された頁に対応する画像情報が該画像情報記憶部(17)に記憶されているときには、この画像情報記憶部(17)の画像情報を表示させる比較部(12)と
を備えたことを特徴とするＷｅｂページ閲覧装置。
【請求項２】
請求項１記載のＷｅｂページ閲覧装置において、
前記画像情報記憶部(17)には、Ｗｅｂページの各頁の画像情報と共にその頁の画像情報のＷｅｂページでの更新日データを記憶し、
前記比較部(12)は、オンラインでＷｅｂページの閲覧時に、前記表示頁選択部(13)で選択された頁に対応する画像情報が画像情報記憶部(17)に記憶されているときに、画像情報記憶部(17)の該画像情報の更新日と、Ｗｅｂサーバー(2)の該頁に対応する画像情報の更新日とを比較し、Ｗｅｂサーバー(2)の該頁に対応する画像情報の方が最新であるときには、Ｗｅｂサーバー(2)から該頁に対応する最新画像情報を読み込み、画像情報記憶部(17)の該頁の画像情報を前記最新画像情報に更新する
ことを特徴とするＷｅｂページ閲覧装置。
【請求項３】
請求項１又は２記載のＷｅｂページ閲覧装置において、
オンラインで閲覧したＷｅｂページの目次データを、該目次データのＷｅｂページでの更新日データと共に記憶するための目次情報記憶部(16)をさらに備え、
前記比較部(12)は、オンラインでＷｅｂページの閲覧時に、目次情報記憶部(16)のそれぞれの目次データの更新日と、Ｗｅｂサーバー(2)の該目次データの更新日とを比較し、Ｗｅｂサーバー(2)の該目次データの方が最新であるときには、Ｗｅｂサーバー(2)から該最新の目次データを読み込み、目次情報記憶部(16)の該目次データを前記最新の目次データに更新する
ことを特徴とするＷｅｂページ閲覧装置。
【請求項４】
請求項１，２又は３記載のＷｅｂページ閲覧装置において、
オンラインでＷｅｂページの閲覧時に、前記画像情報記憶部(17)の画像情報を、Ｗｅｂサーバー(2)の全頁に対応する最新の画像情報に一括で更新する比較部(32)を備えた
ことを特徴とするＷｅｂページ閲覧装置。
【請求項５】
請求項４記載のＷｅｂページ閲覧装置において、
前記一括で更新する対象のＷｅｂページ資料種別を機械又は装置等毎に選択する選択部(29)を設け、
前記比較部(32)は、該選択部(29)により選択された資料を一括で更新する
ことを特徴とするＷｅｂページ閲覧装置。
【発明の詳細な説明】
【技術分野】
【０００１】
本発明は、Ｗｅｂページ閲覧装置に関し、特に、インターネットの通信障害に影響されずに、操作性良くＷｅｂページを閲覧できるＷｅｂページ閲覧装置に関する。
【背景技術】
【０００２】
近年、インターネットを介した情報閲覧が盛んに行われるようになり、例えば、企業が販売する機械の取扱説明書及び保守マニュアル等を自社のＷｅｂページに掲載し、その機械の取扱店（サービスディーラ）のサービス員、又は客先の保守担当者がこの取扱説明書及び保守マニュアルを見て保守ができるようにしたものがある。また、販売機械の部品リストをＷｅｂページに掲載して、保守、整備に必要な部品の発注ができるようにしたもの等もみられる。（例えば、特許文献１参照。）このようなＷｅｂページを利用した情報提供においては、Ｗｅｂページ上の掲載内容を最新のものに更新することがしばしば行われており、Ｗｅｂページの閲覧者は最新の情報を表示させるために常にＷｅｂページにアクセスして最新情報を取りに行く必要がある。
【０００３】
【特許文献１】特開２００２−２４２２５号公報（第２−４頁、第３図）
【発明の開示】
【発明が解決しようとする課題】
【０００４】
しかしながら、従来のＷｅｂページ閲覧技術に係る閲覧装置には以下のような問題が生じている。
インターネットの通信障害が発生するような例えばビルの屋内、地下、ビルの谷間又は山間地等では、一時的にＷｅｂページサーバー（以下、単にＷｅｂサーバーと呼ぶ。）から画像情報データを読み取ることができない場合がある。この場合に、前述のようにＷｅｂページ上の取扱説明書、保守マニュアル及び部品マニュアル等の資料を見て機械を修理しているときなどには、自由にそれらの資料を閲覧ができないため、修理に必要な任意の頁を表示させることができない。このため、修理に要する時間が長くなる。
【０００５】
一方、通常、Ｗｅｂページ閲覧用の端末（クライアイント）としてはパーソナルコンピュータ（以後、単にパソコンと言う。）が多く用いられており、その際、Ｗｅｂページの文字情報や画像情報を当該Ｗｅｂサーバーから読み込むために、所謂ＷＷＷブラウザによりデータを入力している。一般的に、このＷＷＷブラウザでＷｅｂページを閲覧すると、そのときの画面情報（文字情報及び画像情報を含む。）が各画面毎に閲覧順にパソコン内の所定のテンポラリメモリに自動的に記憶され、その後「戻り」操作を行うと前記テンポラリメモリに記憶された画面情報を閲覧順の逆に読み出して表示させるようになっている。
【０００６】
従って、上述のように従来のＷＷＷブラウザで閲覧すると、一時的にＷｅｂサーバーからデータ（画像情報）を読み取ることができない場合があっても、前記テンポラリメモリに記憶した画像情報を表示させることができるので、一度閲覧した画像情報を再度表示させることはできる。しかしながら、閲覧順の逆にしか表示させることができず、しかも前記テンポラリメモリの容量は有限で、記憶容量が一杯になると、記憶する度に先に記憶したデータが消去される（先入れ先出し）記憶方式なので、前述の取扱説明書、保守マニュアル及び部品マニュアル等の資料のように体系的に記載された内容の画像の場合、その閲覧したい頁を直接指定して画像を表示させることが困難であり、操作性が良くないという問題がある。
【０００７】
また、保存したい画像情報を指定してパソコンに記憶してファイル化し、上記のインターネット通信障害でＷｅｂサーバーからデータを読み取ることができないとき、ファイル化した画像情報をオフラインで表示させることもできる。しかし、この場合でも、ファイル化した画像情報とＷｅｂページ上の最新画像情報（サーバー上データ）との新旧の判断、つまり更新日の比較は閲覧者がしなければならず、Ｗｅｂページ上の画像情報との整合性を常に取ることができない。このため、閲覧者は閲覧する度に最新情報をＷｅｂページから読み取りに行く必要があり、そのための操作が非常に煩わしいと共に、そのときの画像情報データ容量が大きいときにはダウンロード時間がかかって操作性が良くないという問題もある。
【０００８】
本発明は、上記の問題点に着目してなされたもので、Ｗｅｂページの閲覧の際、オフライン時でもオンライン時と同様の操作性で閲覧でき、最新データの読み取り操作が容易なＷｅｂページ閲覧装置を提供することを目的とする。
【課題を解決するための手段】
【０００９】
上記目的を達成するために、第１発明は、Ｗｅｂページ閲覧装置において、オンラインで閲覧したＷｅｂページの画像情報を記憶するための画像情報記憶部と、閲覧者が閲覧したいＷｅｂページ画像の頁を選択する表示頁選択部と、前記表示頁選択部で選択された頁に対応する画像情報が該画像情報記憶部に記憶されているときには、この画像情報記憶部の画像情報を表示させる比較部とを備えた構成としている。
【００１０】
第２発明は、第１発明において、前記画像情報記憶部には、Ｗｅｂページの各頁の画像情報と共にその頁の画像情報のＷｅｂページでの更新日データを記憶し、前記比較部は、オンラインでＷｅｂページの閲覧時に、前記表示頁選択部で選択された頁に対応する画像情報が画像情報記憶部に記憶されているときに、画像情報記憶部の該画像情報の更新日と、Ｗｅｂサーバーの該頁に対応する画像情報の更新日とを比較し、Ｗｅｂサーバーの該頁に対応する画像情報の方が最新であるときには、Ｗｅｂサーバーから該頁に対応する最新画像情報を読み込み、画像情報記憶部の該頁の画像情報を前記最新画像情報に更新する構成としている。
【００１１】
第３発明は、第１又は第２発明において、オンラインで閲覧したＷｅｂページの目次データを、該目次データのＷｅｂページでの更新日データと共に記憶するための目次情報記憶部をさらに備え、前記比較部は、オンラインでＷｅｂページの閲覧時に、目次情報記憶部のそれぞれの目次データの更新日と、Ｗｅｂサーバーの該目次データの更新日とを比較し、Ｗｅｂサーバーの該目次データの方が最新であるときには、Ｗｅｂサーバーから該最新の目次データを読み込み、目次情報記憶部の該目次データを前記最新の目次データに更新する構成としている。
【００１２】
また第４発明は、第１、第２又は第３発明において、オンラインでＷｅｂページの閲覧時に、前記画像情報記憶部の画像情報を、Ｗｅｂサーバーの全頁に対応する最新の画像情報に一括で更新する比較部を備えた構成としている。
【００１３】
第５発明は、第４発明において、前記一括で更新する対象のＷｅｂページ資料種別を機械又は装置等毎に選択する選択部を設け、前記比較部は、該選択部により選択された資料を一括で更新する構成としている。
【発明の効果】
【００１４】
第１発明によると、オンラインで閲覧したＷｅｂページの画像情報を画像情報記憶部に記憶し、閲覧者が表示頁選択部によって選択した頁に対応する画像情報が画像情報記憶部に記憶されていれば、これを表示することにより、Ｗｅｂページを閲覧できる。従って、インターネット通信障害等があっても閲覧が中断されることがないため、操作性を向上できる。これにより、例えばＷｅｂページの保守マニュアル等の資料を閲覧しつつ機械を保守している最中に通信障害があってもその保守作業を継続してできるので、作業性が良い。また、インターネットを介さずに、任意の時及び場所で画像情報記憶部に記憶したＷｅｂページを閲覧できるので、操作性を向上できる。
【００１５】
また、第２発明によると、選択された頁に対応する、Ｗｅｂページの画像情報の方が画像情報記憶部に記憶されている画像情報よりも最新のときには、Ｗｅｂページから読み込んだ画像情報で、画像情報記憶部の画像情報を更新するため、閲覧者が画像情報記憶部にある画像情報の更新日の新旧を意識する必要がなくなり、操作性を向上できる。
【００１６】
また、第３発明によると、Ｗｅｂページの目次データをＷｅｂページでの更新日データと共に目次情報記憶部に記憶しておき、オンラインでのＷｅｂページ閲覧時に、Ｗｅｂページの最新の目次データで目次情報記憶部の目次データを更新するため、インターネットの通信障害等があっても、目次情報記憶部の最新目次データに基づき閲覧できるので、閲覧時の操作性を向上できる。
【００１７】
第４発明によると、Ｗｅｂサーバーの全頁に対応する最新の画像情報に一括更新できるので、更新操作が煩わしくなく容易にできる。
【００１８】
また、第５発明によると、一括更新する対象をＷｅｂページ資料種別毎に選択するので、更新したい資料を効率的に更新でき、操作性が良い。
【発明を実施するための最良の形態】
【００１９】
以下、本発明に係るＷｅｂページ閲覧装置の実施形態について、図面を参照して詳細に説明する。
【００２０】
図１は、本発明を適用するＷｅｂページ閲覧システムの概略説明図である。図１において、インターネット１上に、特定企業のＷｅｂページを管理するＷｅｂサーバー２と、Ｗｅｂページを閲覧するクライアントとしてのＷｅｂページ閲覧装置３とが設けられている。Ｗｅｂページ閲覧装置３は、閲覧者の数に応じて設けられているが、ここでは１つのみ図示している。Ｗｅｂページ閲覧装置３はパソコン等からなり、コンピュータ本体（以下、ＣＰＵと呼ぶ。）４と、ＣＲＴ又は液晶表示器等からなるグラフィック表示装置５と、ハードディスク装置やＭＯ装置等からなる記憶装置６と、キーボード及びマウス等からなる操作装置７とを備えている。
【００２１】
図２は、本Ｗｅｂページ閲覧装置の機能構成ブロック図であり、図２によって各機能を説明する。
Ｗｅｂページ閲覧装置３は、データ入力部１１と、比較部１２と、表示頁選択部１３と、表示部１５と、目次情報記憶部１６と、画像情報記憶部１７とを備えている。以下、目次情報記憶部１６及び画像情報記憶部１７を合わせてローカルフォルダと呼ぶ。
【００２２】
データ入力部１１は、インターネット１を介してＷｅｂサーバー２から画像情報データと、目次情報データと、その画像情報データ及び目次情報データのＷｅｂサーバー２での更新日データとを入力する。この画像情報は、Ｗｅｂページの各頁に対応する画像の文字情報と背景画像情報とを含んでいる。Ｗｅｂサーバー２と本データ入力部１１との間の画像情報データの転送は、データ圧縮化されて行なわれる。
【００２３】
比較部１２は、データ入力部１１を介してＷｅｂサーバー２から入力したＷｅｂページ画像情報の更新日データと、ローカルフォルダ内の画像情報記憶部１７に記憶された当該Ｗｅｂページ画像情報の更新日データとを比較し、その比較結果に基づき、サーバー２から入力したＷｅｂページ画像情報データ、及びローカルフォルダ内の当該Ｗｅｂページ画像情報データのいずれか最新の方を画像情報記憶部１７に記憶し、表示する。また、Ｗｅｂサーバー２から入力したＷｅｂページ目次情報の更新日データと、ローカルフォルダ内の目次情報記憶部１６に記憶された当該目次情報の更新日データとを比較し、その比較結果に基づき、Ｗｅｂサーバー２から入力したＷｅｂページ目次情報データ、及びローカルフォルダ内の当該目次情報データのいずれか最新の方を目次情報記憶部１６に記憶し、表示する。
【００２４】
表示頁選択部１３は、当該Ｗｅｂページ閲覧装置３で閲覧者が表示したいＷｅｂページ、つまり閲覧したいＷｅｂデータを選択するための入力部である。本例では、キーボードやマウス等の操作装置７を用いて選択操作される。
【００２５】
表示部１５はグラフィック表示装置５に表示データを出力して表示させるものであり、比較部１２からの表示指令を受けて表示する。
目次情報記憶部１６は、閲覧者が一度閲覧したＷｅｂページの画像情報データの目次、すなわち各画像情報データの名称及びその頁を記憶するものである。
画像情報記憶部１７は、閲覧者が一度閲覧したＷｅｂページの画像情報データを記憶するものである。
【００２６】
次に、図３〜図７に基づき、本発明に係るＷｅｂページ閲覧装置のＷｅｂデータ表示処理の手順を説明する。図３〜図５、及び図７は、閲覧者の操作中にグラフィック表示装置５に表示される画面例であり、図３は起動画面、図４は閲覧資料選択画面、図５は資料表示画面、及び図７はエラーメッセージ表示例である。また、図６はＷｅｂデータ表示の処理手順を表わすフローチャートである。
【００２７】
ここで、Ｗｅｂデータ表示処理の手順を説明する前に、本Ｗｅｂページ閲覧装置３による閲覧者の操作手順を説明する。本Ｗｅｂページ閲覧装置３の閲覧ソフトは、図３に示すような起動画面から起動される。同画面には、閲覧ソフト起動スイッチ２１と、一括更新ソフト起動スイッチ２２とが表示されている。閲覧者が操作装置７のキーボード、マウス等でカーソルを上記閲覧ソフト起動スイッチ２１に移動して起動操作（Enterキー押下又はマウス釦クリック）すると、図４に示すようなＷｅｂページの閲覧資料選択画面が表示される。この閲覧資料選択画面には、機械の種類２４別に、その型式２５を表わす型式コード２５ａと、それぞれの型式コード２５ａに対応した閲覧資料２６，２７，２８毎の閲覧起動スイッチ２９と、オンライン又はオフラインを選択するオンライン／オフライン選択スイッチ３０とが表示されている。図４は、閲覧資料２６，２７，２８として、それぞれ保守部品リスト２６、保守マニュアル２７及びカタログ２８が表示された例である。
【００２８】
この画面で、閲覧者はオンライン／オフライン選択スイッチ３０によりオンライン（インターネット接続状態）又はオフライン（インターネット非接続状態）の操作モードを選択し、さらに、閲覧したい閲覧資料２６，２７，２８のそれぞれの閲覧起動スイッチ２９をカーソルで選択して起動する。オンラインで閲覧起動されたときには、自動的に当該閲覧資料を有するＷｅｂサーバーにアクセスする。なお、図５の閲覧起動スイッチ２９に「閲覧」と記載されているのは、閲覧可能な資料があることを表しており、閲覧可能な資料が無い場合には、その旨を表す記載をするようにしている。
【００２９】
前記閲覧起動スイッチ２９で選択起動すると、図５に示すような、その選択された閲覧資料２６，２７，２８のいずれかが表示される。図５は、保守マニュアル２７を選択した場合の画面例であり、同画面の左側に目次が表示され、右側には図及びコメントで保守手順等を表わしたマニュアルが表示されている。閲覧者が左側の目次表示部の閲覧したい頁にカーソルを合わせて選択すると、当該頁の目次の反転表示３８がされ、画面右側に当該頁のマニュアル等資料の内容が表示される。
【００３０】
次に、上記処理を実行するための制御処理手順を図６に示すフローチャートに基づき説明する。なお、以下では、それぞれの処理を実行する、図２に示した機能部を（）内に記載している。
図６において、まずステップＳ１で、Ｗｅｂページの表示頁の選択信号を入力する（表示頁選択部１３）。この表示頁の選択とは、上記の操作例で言うと、図４に示すＷｅｂページの閲覧資料選択画面での閲覧起動スイッチ２９の選択、又は、図５に示す各閲覧資料の目次の頁選択等である。この表示頁の選択信号を入力したら、ステップＳ２で、現在の選択されている操作モードはオンラインか又はオフラインかをチェックし、オンラインのときには、ステップＳ３で、さらにローカルフォルダに前記選択された表示頁のＷｅｂデータ（画像情報データ及び目次情報データを含む）が記憶されているかをチェックする（比較部１２）。ローカルフォルダに記憶されているときには、ステップＳ４で、Ｗｅｂサーバーから当該Ｗｅｂデータ（画像情報データ及び目次情報データ）の更新日データ（又はバージョン番号でも可。以下同様とする。）を入力し、その更新日とローカルフォルダ内の画像情報記憶部１７の当該画像情報データ更新日、及び目次情報記憶部１６の当該目次情報データ更新日とをそれぞれ比較する（比較部１２）。
【００３１】
そしてステップＳ５で、その比較の結果Ｗｅｂサーバー２の当該Ｗｅｂデータが最新であるかをチェックし、最新のときには、ステップＳ６で、Ｗｅｂサーバー２から最新の当該画像情報データ及び当該目次情報データをダウンロードして、その当該画像情報データをローカルフォルダ内の画像情報記憶部１７に記憶し、その目次情報データを目次情報記憶部１６に記憶し、さらに表示部１５に画像情報を表示する（比較部１２）。この後、ステップＳ１に戻って、以上の処理を繰り返す。上記ステップＳ５で、Ｗｅｂサーバー２の当該Ｗｅｂデータが最新でないときには、ステップＳ７で、ローカルフォルダ内の画像情報記憶部１７から当該画像情報データを読み込み、表示部１５に表示する（比較部１２）。この後、ステップＳ１に戻って、以上の処理を繰り返す。
【００３２】
前記ステップＳ３で、ローカルフォルダに前記選択された表示頁のＷｅｂデータが記憶されていないときには、前記ステップＳ６に移行し、Ｗｅｂサーバー２から当該画像情報データ及び当該目次情報データをダウンロードして、、その当該画像情報データをローカルフォルダ内の画像情報記憶部１７に記憶すると共に、その目次情報データを目次情報記憶部１６に記憶し、表示部１５に画像情報を表示する（比較部１２）。
【００３３】
前記ステップＳ２で、オフラインのときには、ステップＳ８で、ローカルフォルダに前記選択された表示頁のＷｅｂデータが記憶されているかをチェックし、ローカルフォルダに記憶されているときには、前記ステップＳ７に移行して同処理を行なう。上記ステップＳ８で、ローカルフォルダに記憶されていないときには、ステップＳ９で、例えば図７に示すように、ローカルフォルダ内に当該表示頁のＷｅｂデータが記憶されていない旨を示すメッセージの表示指令を表示部１５に出力し、インターネットを介してオンラインで当該Ｗｅｂデータをダウンロードすることを促すメッセージを表示する（比較部１２）。この後、ステップＳ１に戻って処理を繰り返す。
【００３４】
上記実施形態によると、本発明に係るＷｅｂページ閲覧装置３は、クライアントとしてのＷｅｂページ専用のローカルフォルダを有し、このローカルフォルダ内に、Ｗｅｂページをオンラインで閲覧したときの画像情報データをその目次情報データと共に記憶しておく。この後、同一Ｗｅｂページをオンラインで閲覧するときに、ローカルフォルダ内に同一頁のＷｅｂデータ（画像情報データ及び目次情報データ）があるときにはこれを表示するので、表示時間が短くなると共に、通信障害があるときでもＷｅｂページを閲覧できる。また、通信障害の起き易い地下街、ビル屋内等の場所でも、オフラインでオンラインと同様の操作性によりＷｅｂページを閲覧できる。この際に、Ｗｅｂページの閲覧資料の目次情報も画像情報と共にローカルフォルダに記憶するため、この目次情報を参照してＷｅｂページの資料（保守マニュアル等の体系的な内容を記載した資料）の任意頁を表示することができ、閲覧時の操作性が非常に良い。さらに、閲覧する頁の最新のＷｅｂデータがＷｅｂサーバーにある場合には、この最新Ｗｅｂデータの画像情報及び目次情報を自動的にダウンロードしてローカルフォルダに記憶すると共に、表示するので、閲覧者はローカルフォルダ内のＷｅｂデータの更新日新旧を意識する必要が無くなり、操作性が非常に良くなると共に、常に最新のＷｅｂデータを閲覧することができる。
【００３５】
次に、第２実施形態について説明する。図８は、本実施形態に係る機能構成ブロック図である。なお、図８において、図２に示した機能構成と略同一の機能を有する構成には同一符号を付し、以下での説明を省く。
本実施形態に係るＷｅｂページ閲覧装置３ａは、データ入力部１１と、比較部３２と、一括更新指令入力部３３と、表示部１５と、目次情報記憶部１６と、画像情報記憶部１７とを備えている。
【００３６】
一括更新指令入力部３３は、図３に示す一括更新ソフト起動スイッチ２２の操作による一括更新指令を入力するものであり、キーボードやカーソル等の操作による指令信号を入力する。
【００３７】
また、比較部３２は、上記一括更新指令の入力を受けて、当該Ｗｅｂページの全ての頁のＷｅｂデータを一括で更新するものである。即ち、各頁毎に、データ入力部１１を介してＷｅｂサーバー２から入力したＷｅｂページ画像情報の更新日データと、ローカルフォルダ内の画像情報記憶部１７に記憶された当該Ｗｅｂページ画像情報の更新日データとを比較し、Ｗｅｂサーバー２のＷｅｂページ画像情報の更新日がローカルフォルダ内の当該Ｗｅｂページ画像情報の更新日よりも最新のときには、Ｗｅｂサーバー２からＷｅｂページ画像情報データを入力してローカルフォルダ内の画像情報記憶部１７に記憶する。また、Ｗｅｂサーバー２から入力したＷｅｂページ目次情報の更新日データと、ローカルフォルダ内の目次情報記憶部１６に記憶された当該Ｗｅｂページの目次情報の更新日データとを比較し、Ｗｅｂサーバー２の目次情報の更新日がローカルフォルダ内の当該Ｗｅｂページの目次情報の更新日よりも最新のときには、Ｗｅｂサーバー２から目次情報データを入力してローカルフォルダ内の目次情報記憶部１６に記憶する。
【００３８】
図９は、一括更新ソフト起動時の画面例であり、図９によって操作手順を説明する。図３に示す起動画面で、一括更新ソフト起動スイッチ２２にカーソルを合わせて起動操作（Enterキー押下又はマウス釦クリック）すると、図９に示すような選択画面がグラフィック表示装置５に表示される。この選択画面において、アプリケーションファイル選択部３４と、画像情報ファイル選択部３５と、ダウンロードスイッチ部３６とが表示されている。アプリケーションファイル選択部３４にカーソルを合わせて選択操作（Enterキー押下又はマウス釦クリック。以下同様とする。）すると、チェックマークが表示され、更新の対象として文字情報が選択される。また、画像情報ファイル選択部３５にカーソルを合わせて選択操作すると、チェックマークが表示され、更新の対象として背景画像情報が選択される。そして、ダウンロードスイッチ部３６にカーソルを合わせて起動操作すると、以下に説明するような一括更新処理が開始する。
【００３９】
図１０は、Ｗｅｂページ閲覧装置３ａの一括更新処理の手順を示すフローチャートであり、同図に基づき一括更新処理を説明する。
まずステップＳ２１で、一括更新指令入力部３３での一括更新指令の入力があったかをチェックし、入力があるまでこれを繰り返す。入力があったら、次にステップＳ２２で、Ｗｅｂページ閲覧資料の種別選択指令が入力されるまで待ち、このいずれかの選択指令が入力されたら、ステップＳ２３で、頁パラメータを１にセットする。なお、上記のＷｅｂページ閲覧資料の種別選択は、例えば図４に示すようなＷｅｂページ閲覧資料２６，２７，２８の中の機械型式２５の選択スイッチ（図示の閲覧起動スイッチ２９と同等なスイッチ）によって行われる。
【００４０】
次に、ステップＳ２４で、ローカルフォルダに前記頁パラメータに対応したＷｅｂデータ（画像情報データ及び目次情報データ）が記憶されているかをチェックする（比較部３２）。ローカルフォルダに記憶されているときには、ステップＳ２５で、Ｗｅｂサーバー２から当該頁の画像情報データ及び目次情報データのそれぞれの更新日データを入力し、それらの更新日とローカルフォルダ内の画像情報記憶部１７及び目次情報記憶部１６のそれぞれの当該データ更新日とをそれぞれ比較する（比較部３２）。そしてステップＳ２６で、その比較の結果Ｗｅｂサーバー２の当該Ｗｅｂデータが最新であるかをチェックし、最新のときには、ステップＳ２７で、Ｗｅｂサーバー２から最新の当該画像情報データ及び目次情報データをダウンロードして、その当該画像情報データをローカルフォルダ内の画像情報記憶部１７に記憶し、その目次情報データを目次情報記憶部１６に記憶する（比較部３２）。この後、処理をステップＳ２８に移行する。上記ステップＳ２６で、Ｗｅｂサーバー２の当該Ｗｅｂデータが最新でないときには、ステップＳ２８に移行する。また、前記ステップＳ２４で、ローカルフォルダに前記頁パラメータに対応したＷｅｂデータが記憶されていないときには、ステップＳ２７に移行する（比較部３２）。
【００４１】
ステップＳ２８では、前記頁パラメータを１つ増加させ、次にステップＳ２９で、頁パラメータが当該資料の最大頁に達したか、つまり最終頁まで処理が修了したかがチェックされる（比較部３２）。最終頁まで処理が修了してないときには、次にステップＳ２４に戻って処理を繰り返し、最終頁まで処理が修了したときには、次にステップＳ２１に戻って最初から処理を繰り返す。（比較部３２）
【００４２】
以上説明したように、第２実施形態によると、Ｗｅｂページの閲覧した資料を記憶しているローカルフォルダ内の当該資料全頁を一括して更新するので、閲覧者にとって更新のための操作が非常に容易になり、操作性を向上できる。また、特定の資料種別を選択して一括更新できるので、効率的な更新作業ができる。
【００４３】
なお、上記実施形態では、比較部１２及び比較部３２は別々の機能構成部として説明したが、両者の機能を共に有する機能構成部を設けても構わない。
また、操作装置７としてキーボード、マウス等を用いた例で示したが、これに限定されず、例えばグラフィック表示装置５の前面に装着したタッチパネルを採用することもできる。
【産業上の利用可能性】
【００４４】
Ｗｅｂページで取り扱う販売製品としては建設機械に限定されず、他の産業機械、工作機械、車両等にも適用でき、また資料としても部品カタログ、故障診断マニュアル等に適用できる。
【図面の簡単な説明】
【００４５】
【図１】本発明を適用するＷｅｂページ閲覧システムの概略説明図である。
【図２】本Ｗｅｂページ閲覧装置の機能構成ブロック図である。
【図３】実施形態に係る起動画面である。
【図４】実施形態に係る閲覧資料選択画面である。
【図５】実施形態に係る資料表示画面である。
【図６】第１実施形態の画像表示の処理手順を表わすフローチャートである。
【図７】実施形態のエラーメッセージ表示例である。
【図８】第２実施形態に係る機能構成ブロック図である。
【図９】一括更新ソフト起動時の選択画面例である。
【図１０】第２実施形態の一括更新処理手順を示すフローチャートである。
【符号の説明】
【００４６】
１…インターネット、２…Ｗｅｂサーバー、３，３ａ…Ｗｅｂページ閲覧装置、４…ＣＰＵ、５…グラフィック表示装置、６…記憶装置、７…操作装置、１１…データ入力部、１２…比較部、１３…表示頁選択部、１５…表示部、１６…目次情報記憶部、１７…画像情報記憶部、２１…閲覧ソフト起動スイッチ、２２…一括更新ソフト起動スイッチ、２４…機械の種類、２５…型式、２５ａ…型式コード、２６…保守部品リスト（閲覧資料）、２７…保守マニュアル（閲覧資料）、２８…カタログ（閲覧資料）、２９…閲覧起動スイッチ、３０…オンライン／オフライン選択スイッチ、３２…比較部、３３…一括更新指令入力部、３４…アプリケーションファイル選択部、３５…画像情報ファイル選択部、３６…ダウンロードスイッチ部、３８…反転表示。
【図１】
2005062991.tif 000003
【図２】
2005062991.tif 000004
【図３】
2005062991.tif 000005
【図４】
2005062991.tif 000006
【図５】
2005062991.tif 000007
【図６】
2005062991.tif 000008
【図７】
2005062991.tif 000009
【図８】
2005062991.tif 000010
【図９】
2005062991.tif 000011
【図１０】
2005062991.tif 000012